(57)【要約】【課題】スイッチの操作感を向上させること。【解決手段】スイッチ６は、基板４上に取り付けられている。このスイッチ６は、所定の押圧力により動作する。スイッチ操作装置１０は、間隔ｔｃをもってフロントパネル１に取り付けられている。フロントパネル１と基板４とが組み付けられることによって、スイッチ操作装置１０の入力部材１１とスイッチ６の入力部６Ｉとが接する。そして、スイッチ６と入力部材１１とが接する状態においては、入力部材１１が備える弾性部材１２によって、スイッチ６を動作させない大きさの押圧力がスイッチ６に付勢される。  を含む。【選択図】        図５
2006164795.tif 000002
【特許請求の範囲】
【請求項１】
所定の押圧力により動作するスイッチを動作させるように、取り付け対象との間に間隔を設けて取り付けられる入力部材と、
前記スイッチと前記入力部材とが接する状態において、前記スイッチを動作させない大きさの押圧力を、前記入力部材から前記スイッチに付勢させる弾性部材と、
を含むことを特徴とするスイッチ操作装置。
【請求項２】
前記スイッチが動作していない状態において、前記スイッチと前記入力部材とが接する状態で取り付けられることを特徴とする請求項１に記載のスイッチ操作装置。
【請求項３】
弾性部材は、入力部材と一体であることを特徴とする請求項１又は２に記載のスイッチ操作装置。
【請求項４】
前記入力部材は、これを前記取り付け対象に取り付けるための支持部を有しており、かつ前記支持部を中心として揺動運動することを特徴とする請求項１〜３のいずれか１項に記載のスイッチ操作装置。
【請求項５】
前記弾性部材は、前記取り付け対象と接し、かつ前記支持部とともに前記入力部材を支持することを特徴とする請求項３又は４に記載のスイッチ操作装置。
【請求項６】
前記スイッチへの入力方向は、前記スイッチを取り付けるスイッチ取り付け対象の取り付け面と略平行であることを特徴とする請求項１〜５のいずれか１項に記載のスイッチ操作装置。
【請求項７】
前記取り付け対象と、前記スイッチを取り付けるスイッチ取り付け対象とは別個に用意され、両者を組み合わせることを特徴とする請求項１〜６のいずれか１項に記載のスイッチ操作装置。
【請求項８】
請求項１〜７のいずれか１項に記載のスイッチ操作装置を備えることを特徴とする電子機器。
【発明の詳細な説明】
【技術分野】
【０００１】
本発明は、スイッチを動作させるために用いるスイッチ操作装置及びこれを備える電子機器に関する。
【背景技術】
【０００２】
電子機器や電気装置には、電気信号を断続するためのスイッチが用いられる。電子機器においては、筺体内部に配置される基板上へ前記スイッチを取り付け、筺体から突出させた操作ボタンによって、前記スイッチを動作させる構造が用いられることが多い。例えば、特許文献１には、スイッチ操作部を有するボタン支持体によって、前記ボタン支持体に取り付けられた操作ボタンから入力される押圧力をタクトスイッチに伝達し、これを動作させる技術が開示されている。
【０００３】
【特許文献１】特開２００２−３１９３２４号公報
【発明の開示】
【発明が解決しようとする課題】
【０００４】
しかしながら、特許文献１に開示されている技術では、スイッチ操作部とタクトスイッチとの間に隙間が発生してしまうため、操作ボタンを押したときには前記隙間がガタとなって、スイッチの操作感を低下させるという問題があった。そこで、本発明は、上述した課題をその一例として解決するものであって、スイッチと、これを操作するスイッチ操作装置とを組み合わせて用いる場合において、スイッチの操作感を向上できるスイッチ操作装置及び電子機器を提供することを目的とする。
【課題を解決するための手段】
【０００５】
請求項１に記載の発明は、スイッチ操作装置は、所定の押圧力により動作するスイッチを動作させるように、取り付け対象との間に間隔を設けて取り付けられる入力部材と、前記スイッチと前記入力部材とが接する状態において、前記スイッチを動作させない大きさの押圧力を、前記入力部材から前記スイッチに付勢させる弾性部材と、を含むことを特徴とする。
【発明を実施するための最良の形態】
【０００６】
以下、この発明につき、図面を参照しつつ詳細に説明する。なお、この発明を実施するための最良の形態によりこの発明が限定されるものではない。また、以下に説明する実施の形態における構成要素には、当業者が容易に想定できるもの、あるいは実質的に同一のものが含まれる。
【０００７】
（実施の形態１）
実施の形態１に係るスイッチ操作装置は、取り付け対象との間に間隔を設け、所定の押圧力により動作するスイッチを動作させるように取り付けられる入力部材を備える。そして、この入力部材に取り付けられる弾性部材によって、前記スイッチが前記入力部材に接する状態において、前記スイッチを動作させない大きさの押圧力を、前記入力部材から前記スイッチに付勢させる点に特徴がある。ここで、押圧力とは、前記スイッチや前記入力部材を押す力を意味する（以下同様）。
【０００８】
図１は、実施の形態１に係るスイッチ操作装置を備える電子機器を示す全体図である。図２は、図１に示すフロントパネルを示す斜視図である。この電子機器１００は、ＣＤ（Compact Disc）やＤＶＤ（Digital Versatile Disc）等の光ディスク（以下ディスク）に記録された情報を再生するディスク再生装置である。なお、実施の形態１に係るスイッチ操作装置を適用できる電子機器は、これに限られるものではない。電子機器１００は、内部にディスク再生装置本体を格納したケース体１０１と、このケース体１０１に取り付けられるフロントパネル１とで構成される。フロントパネル１からは、実施の形態１に係るスイッチ操作装置に取り付けられる操作ボタン３が突出している。また、フロントパネル１には、スイッチが搭載される基板４が取り付けられる。
【０００９】
図３は、図１に示すフロントパネルの内部を示す斜視図である。フロントパネル１の内部には、実施の形態１に係るスイッチ操作装置１０が取り付けられる。ここで、フロントパネル１が、スイッチ操作装置１０の取り付け対象となる。また、フロントパネル１の内部側には、スイッチ取り付け対象である基板４が取り付けられており、前記基板４上には、スイッチ６が取り付けられる。スイッチ６は、スイッチ操作装置１０によって操作される。
【００１０】
このように、スイッチ取り付け対象である基板４と、実施の形態１に係るスイッチ操作装置１０の取り付け対象であるフロントパネル１とは別個に用意される。そして、両者を組み合わせることによって、スイッチ６は、スイッチ操作装置１０によって間接的に操作されるように構成される。
【００１１】
ここで、実施の形態１で用いるスイッチ６は、いわゆるタクトスイッチであり、スイッチ６が動作している間（例えば操作ボタン３を押したとき）は電気が流れ、スイッチ６が動作していないとき（例えば操作ボタン３が押されないとき）には電気が流れない。なお、実施の形態１で用いることのできるスイッチは、スイッチ操作装置１０から入力されることによって動作させられるものであればよく、タクトスイッチに限定されるものではない。次に、実施の形態１に係るスイッチ操作装置１０について説明する。
【００１２】
図４は、実施の形態１に係るスイッチ操作装置を示す説明図である。図５は、図２のＡ−Ａ断面を示す断面図である。図６は、実施の形態１に係るスイッチ操作装置と基板に取り付けられたスイッチとの関係を示す側面図である。図４に示すように、実施の形態１に係るスイッチ操作装置１０は、基板４に取り付けられるスイッチ６へ入力するための入力部材１１と、前記スイッチ６の方向に向かう力をこの入力部材１１へ付勢可能な弾性部材１２とを含んで構成される。
【００１３】
スイッチ操作装置１０の入力部材１１は、腕１４によってスイッチ操作装置１０をフロントパネル１に取り付ける支持部１３と連結される。図５に示すように、支持部１３は、筒状の部材であり、取り付け対象であるフロントパネル１の内壁面１ｉｗに突出した取り付け対象側支持部２と嵌合することによって、スイッチ操作装置１０をフロントパネル１に取り付け、支持する。入力部材１１は、支持部１３を中心として揺動運動する。このときの揺動半径は、揺動中心Ｐと入力部材１１との距離Ｌｂである。これによって、スイッチ操作装置１０に取り付けられる操作ボタン３を押すと、スイッチ操作装置１０はスイッチ６を押圧してスイッチ６を動作させる。ここで、前記揺動中心Ｐは支持部１３に含まれる。なお、実施の形態１に係るスイッチ操作装置１０は、それぞれ２個の支持部１３と腕１４とを有するが、両者の個数はこれに限定されるものではない。
【００１４】
実施の形態１に係るスイッチ操作装置１０の入力部材１１が備える弾性部材１２は、前記入力部材１１を基準とすると、支持部１３とは反対側に配置される。弾性部材１２の開放側端部には突起部１２ｔが設けられており、図６に示すように、突起部１２ｔの先端がフロントパネル１の内壁面１ｉｗと接する。このように、弾性部材１２は、前記支持部１３とともに、入力部材１１を取り付け対象であるフロントパネル１に支持する。これによって、入力部材１１は、フロントパネル１と一定の間隔ｔｃを設けて、前記フロントパネル１へ取り付けられる。また、実施の形態１において、弾性部材１２は入力部材１１と一体で構成される。これによって、スイッチ操作装置１０を構成する部品点数を少なくすることができる。なお、弾性部材１２の個数は１個に限定されるものではない。
【００１５】
図４、図５に示すように、スイッチ操作装置１０の入力部材１１には、操作ボタン３を取り付けるボタン支持部１１ｔが設けられる。また、図５、図６に示すように、入力部部材１１のボタン支持部１１ｔが設けられている面の反対面はスイッチ６の入力部６Ｉと接しており、操作ボタン３からの入力を前記入力部６Ｉへ伝達し、スイッチ６を動作させる。
【００１６】
図５、図６に示すように、スイッチ６は、基板４に穿孔された取り付け孔５に、本体６Ｂに設けられるスイッチ脚部６Ｌを挿入することにより基板４に取り付けられる。そして、スイッチ６に設けられる端子６Ｔは、基板４の端子とハンダ付けされる。スイッチ６は、入力部６Ｉを押すことによって動作する。このスイッチ６は、入力部６Ｉが押されたときに電気が導通し、入力部を押す力が解除したときには電気の導通が切られる。ここで、スイッチ６を動作させるために必要な押圧力をＰ１とする。
【００１７】
このスイッチ６は、入力方向がスイッチ取り付け対象である基板４の取り付け面に対して略平行となるように取り付けられる。ここで、スイッチ６は、スイッチ脚部６Ｌが基板４の取り付け孔５に挿入されることによって固定される。このため、スイッチ６の入力方向（入力部６Ｉを押す方向）に対する取り付け精度には、ある範囲のばらつきが存在する。また、スイッチ６の入力方向に対するスイッチ６の長さｔｌも、製造ばらつきに起因するばらつきが存在する。さらに、スイッチ取り付け対象である基板４と、スイッチ操作装置１０の取り付け対象であるフロントパネル１との組み付け精度にも、ある範囲のばらつきが存在する。
【００１８】
これらのばらつきを積み上げると、スイッチ６の最終的な組み付けばらつきは、最大でｔ1となる。従来のスイッチでは、この組み付けばらつきを考慮して、スイッチ６の入力部６Ｉと、スイッチ操作装置１０の入力部材１１との距離を設定していた。このため、スイッチ６へ入力するために操作ボタン３を押したときには、前記組み付けばらつきが遊びとなり、操作ボタン３を押してからスイッチ６が動作するまでの操作感を低下させていた。
【００１９】
図７は、実施の形態１に係るスイッチ操作装置とスイッチとを組み付けた状態の一例を示す説明図である。実施の形態１に係るスイッチ操作装置１０は、フロントパネル１と基板４とを組み付けたときに、スイッチ６の入力部６Ｉと、スイッチ操作装置１０の入力部材１１とが接するようにする。このとき、スイッチ６の入力部６Ｉは、前記入力部材１１をフロントパネル１から突出させるように作用するが、これは、前記入力部材１１とフロントパネル１との間に形成される一定の間隔ｔｃによって吸収される。すなわち、図７に示すように、スイッチ操作装置１０の弾性部材１２が撓むことによって吸収される。図７に示す例では、ｔ1だけスイッチ６がスイッチ操作装置１０側に取り付けられているが、この場合において、前記入力部材１１とフロントパネル１との間の間隔はΔｔｃ（＝ｔｃ−ｔ1）となる。
【００２０】
このとき、スイッチ操作装置１０の弾性部材１２は、スイッチ６の方向に向かう押圧力Ｐ２を入力部材１１に付勢する。この押圧力Ｐ２は、スイッチ６を動作させるために必要な押圧力Ｐ１よりも小さく設定される。例えば、スイッチ６の組み付けばらつきの最大値ｔ1までスイッチ６がスイッチ操作装置１０側に取り付けられた場合に、Ｐ１＞Ｐ２となるように設定する。これによって、スイッチ６が動作していない状態で、スイッチ６の入力部６Ｉと、スイッチ操作装置１０の入力部材１１とを接触させることができるので、操作ボタン３を押したときの遊びはほとんど発生しない。その結果、スイッチ６に対する入力時の操作感を向上できるとともに、スイッチ６の入力方向に対するスイッチ６の組み付けばらつきを吸収できる。
【００２１】
また、実施の形態１に係るスイッチ操作装置１０は、弾性部材１２と支持部１３とでフロントパネル１に支持されて、入力部材１１は、支持部１３を中心として揺動運動する。このとき、揺動中心Ｐと入力部材１１との距離Ｌｂを大きくすれば、入力部材１１はより直線に近い運動をするので、スイッチ６に対する入力時の操作感は向上する。前記距離Ｌｂを大きくすると、フロントパネル１からの入力部材１１の突出量が安定しなくなるが、実施の形態１では、入力部材１１が弾性部材１２と支持部１３とで支持されるので、前記突出量を安定させることができる。これによって、この実施の形態１に係るスイッチ操作装置１０は、入力部材１１の突出量も安定させつつ、揺動中心Ｐと入力部材１１との距離Ｌｂを大きくしてスイッチ６に対する入力時の操作感を向上させることができる。
【００２２】
なお、実施の形態１に適用するスイッチ６は、入力方向がスイッチ取り付け対象である基板４の取り付け面に対して直交するものであっても入力時の操作感を向上させることができる。しかし、スイッチ６の入力方向がスイッチ取り付け対象の取り付け面に対して略平行である場合、スイッチ６をスイッチ取り付け対称に固定する際のばらつきが大きくなる。かかる場合であっても、実施の形態１に係るスイッチ操作装置１０によれば、効果的に入力時の操作感を改善できる。
【００２３】
また、スイッチ取り付け対象と、入力部材１１の取り付け対象とは共通していてもよい。しかし、実施の形態１で説明したように、スイッチ取り付け対象である基板４と、入力部材１１の取り付け対象であるフロントパネル１とを別個に用意し、両者を組み付ける構造である場合には、組み付け時における両者のばらつきが大きくなる。かかる場合であっても、実施の形態１に係るスイッチ操作装置１０によれば、効果的に入力時の操作感を改善できる。
【００２４】
（変形例）
図８（ａ）〜図８（ｅ）は、実施の形態１に係るスイッチ操作装置の変形例を示す斜視図である。いずれのスイッチ操作装置１０ａ〜１０ｅも、入力部材１１ａ〜１１ｅと、弾性部材１２ａ〜１２ｅを備える点は実施の形態１に係るスイッチ操作装置１０と同様である。次に、個別の構成について簡単に説明する。図８（ａ）に示すスイッチ操作装置１０ａは、弾性部材１２ａが、入力部材１１ａと支持部１３ａとの間であって、２本の腕１４ａに挟まれて配置される。このようにすれば、スイッチ操作装置１０ａの外形寸法をコンパクトにできる。
【００２５】
図８（ｂ）に示すスイッチ操作装置１０ｂは、実施の形態１に係るスイッチ操作装置１０と略同様であるが、弾性部材１２ｂの開放側端部には突起部が設けられていない点が異なる。この場合、例えば、取り付け対象であるフロントパネル１（図３、図５等）に、弾性部材１２ｂの開放側端部と接する突起等を設ける。図８（ｃ）に示すスイッチ操作装置１０ｃは、図８（ｂ）に示すスイッチ操作装置１０ｂと略同様であるが、弾性部材１２ｃの形状が、鉤状である点が異なる。このスイッチ操作装置１０ｃでは、弾性部材１２ｃのねじり及び曲げによって入力部材１１ｃへ押圧力を作用させる。
【００２６】
図８（ｄ）に示すスイッチ操作装置１０ｄは、入力部材１１ｄに円弧状の弾性部材１２ｄを備えている。このスイッチ操作装置１０ｄでは、弾性部材１２ｄのねじり及び曲げによって入力部材１１ｄへ押圧力を作用させる。このようにすれば、スイッチ操作装置１０ｄの外形寸法をコンパクトにできる。図８（ｅ）に示すスイッチ操作装置１０ｅは、入力部材１１ｅにらせん状の弾性部材１２ｅを備えている。
【００２７】
図９は、実施の形態１に係るスイッチ操作装置の変形例を示す説明図である。図１０は、図９に示すスイッチ操作装置を取り付け対象に取り付けた状態を示す平面図である。図１１は、図９に示すスイッチ操作装置の配置例を示す説明図である。このスイッチ操作装置１０ｆは、支持部１３ｆに設けられる支持孔１３ｆｈを中心として回動する。これによって、入力部材１１ｆがスイッチ６の入力部６Ｉを押して、スイッチ６を動作させる。
【００２８】
図１０に示すように、スイッチ操作装置１０ｆの取り付け対象であるフロントパネル１ｆには、スイッチ操作装置取り付け座７が設けられている。そして、図１０、図１１に示すように、スイッチ操作装置１０ｆの支持部１３ｆと、前記取り付け座７とを組合せ、回動軸８を前記支持部１３ｆに設けられる支持孔１３ｆｈに貫通させるとともに、回動軸８は取り付け座７で支持する。これによって、前記支持部１３ｆは、回動軸８（すなわち支持孔１３ｆｈ）を中心として回動する。
【００２９】
図９に示すように、スイッチ操作装置１０ｆの入力部材１１ｆには、突起部１２ｆｔを有する弾性部材１２ｆが設けられる。そして、図１０に示すように、弾性部材１２ｆは、前記突起部１２ｆｔの先端がフロントパネル１ｆの内壁面１ｆｉｗと接する。このように、弾性部材１２ｆは、前記支持部１３ｆとともに、入力部材１１ｆを取り付け対象であるフロントパネル１ｆに支持する。これによって、入力部材１１ｆは、フロントパネル１と一定の間隔ｔｃを設けて、前記フロントパネル１へ取り付けられる。この変形例に係るスイッチ操作装置１０ｆは、例えば、図１１に示すように、複数のスイッチ操作装置１０ｆを並べるような配置に好ましい。
【００３０】
以上、実施の形態１及びその変形例に係るスイッチ操作装置は、所定の押圧力により動作するスイッチを動作させるように、取り付け対象であるフロントパネルとの間に間隔を設けて取り付けられる入力部材と、前記スイッチと前記入力部材とが接する状態において、前記スイッチを動作させない大きさの押圧力を前記入力部材から前記スイッチに付勢させる弾性部材とを含む。これによって、スイッチは入力部材から押圧力が付勢されて、スイッチと入力部材との遊びが極小になるので、スイッチに対する入力時の操作感を向上できる。また、スイッチの入力方向に対するスイッチの組み付けばらつきを吸収できる。
【００３１】
（実施の形態２）
実施の形態２に係るスイッチ操作装置は、実施の形態１に係るスイッチ操作装置と略同様の構成であるが、支持部からの片持ちで入力部材を支持する点が異なる。他の構成は実施の形態１と同様なので説明を省略するとともに、同一の構成には同一の符号を付す。
【００３２】
図１２は、実施の形態２に係るスイッチ操作装置を示す説明図である。図１３は、図１２に示すスイッチ操作装置を取り付け対象に取り付けた状態を示す平面図である。図１２に示すように、実施の形態２に係るスイッチ操作装置１０ｇは、スイッチ取り付け対象である基板等に取り付けられるスイッチへ入力するための入力部材１１と、前記スイッチ６の方向に向かう力をこの入力部材１１ｇへ付勢可能な弾性部材１２ｇとを含む。弾性部材１２ｇは、スイッチ操作装置１０ｇと支持部１３とを接続しており、図１３に示すように、入力部材１１ｇは、支持部１３を中心として揺動運動する。実施の形態２に係るスイッチ操作装置１０ｇは、支持部１３を中心として入力部材１１ｇを揺動運動させる腕の役割を弾性部材１２ｇが担う。
【００３３】
入力部材１１ｇにはボタン支持部１１ｇｔが設けられ、これに操作ボタン３が取り付けられる（図１３）。図１３に示すように、支持部１３は、取り付け対象であるフロントパネル１の内壁面１ｉｗに突出した取り付け対象側支持部２と嵌合する。これによって、スイッチ操作装置１０ｇをフロントパネル１に取り付け、支持する。このとき、入力部材１１ｇは、フロントパネル１に対して間隔ｔｃを設けて、前記フロントパネル１へ取り付けられる。
【００３４】
フロントパネル１と基板４とを組み付けたときに、スイッチ６の入力部６Ｉの入力側端面６Ｉｔと、スイッチ操作装置１０ｇの入力部材１１ｇとが接するようにする。このとき、スイッチ６の入力部６Ｉは、前記入力部材１１をフロントパネル１から突出させるように作用するが、これは、前記入力部材１１ｇとフロントパネル１との間に形成される一定の間隔ｔｃによって吸収される。すなわち、スイッチ操作装置１０ｇの弾性部材１２が撓むことによって吸収される。
【００３５】
このとき、スイッチ操作装置１０ｇの弾性部材１２は、スイッチ６の方向に向かう押圧力Ｐ２を入力部材１１ｇに付勢する。この押圧力Ｐ２は、スイッチ６を動作させるために必要な押圧力Ｐ１よりも小さく設定される。これによって、スイッチ６が動作していない状態で、スイッチ６の入力部６Ｉと、スイッチ操作装置１０の入力部材１１とを接触させることができるので、操作ボタン３を押したときのガタはほとんど発生しない。その結果、スイッチ６に対する入力時の操作感を向上できるとともに、スイッチ６の入力方向に対するスイッチ６の組み付けばらつきを吸収できる。
【００３６】
以上、実施の形態２に係るスイッチ操作装置は、所定の押圧力により動作するスイッチを動作させるように、取り付け対象であるフロントパネルとの間に間隔を設けて取り付けられる入力部材と、前記スイッチと前記入力部材とが接する状態において、前記スイッチを動作させない大きさの押圧力を前記入力部材から前記スイッチに付勢させる弾性部材とを含む。これによって、スイッチは入力部材から押圧力が付勢されて、スイッチと入力部材との遊びが極小になるので、スイッチに対する入力時の操作感を向上できる。また、スイッチの入力方向に対するスイッチの組み付けばらつきを吸収できる。
【００３７】
（実施の形態３）
実施の形態３に係るスイッチ操作装置は、腕を介して入力部材が取り付け対象に支持される、いわゆるヒンジ構造ではなく、いわゆる押しボタン形式である。かかる形式のスイッチ操作装置において、取り付け対象との間に間隔を設けて、前記スイッチへ向かって動作するように取り付けられる入力部材を備える。そして、この入力部材に取り付けられる弾性部材によって、前記スイッチと前記入力部材とが接する状態において、前記スイッチを動作させない大きさの押圧力を、前記入力部材から前記スイッチへ付勢する点に特徴がある。
【００３８】
図１４は、実施の形態３に係るスイッチ操作装置を取り付け対象に取り付けた状態を示す平面図である。実施の形態３に係るスイッチ操作装置１０ｈは、入力部材１１ｈと、弾性部材１２ｈと、ストローク保持用弾性部材１５ｈとを含む。入力部材１１ｈには、操作ボタン３を取り付ける突起部１１ｈｔが設けられる。また、入力部材１１は外周部が張り出して鍔部１１ｈｅを形成する。
【００３９】
スイッチ操作装置１０ｈの取り付け対象であるフロントパネル１ｈの内壁面１ｈｉｗには、スイッチ操作装置格納体９が設けられており、内部にスイッチ操作装置１０ｈを格納する。そして、図１４に示すように、スイッチ操作装置格納体９内に配置した弾性部材１２ｈと、ストローク保持用弾性部材１５ｈとによってスイッチ操作装置１０ｈを狭持して、これを支持する。
【００４０】
弾性部材１２ｈと、ストローク保持用弾性部材１５ｈとは、スイッチ操作装置１０ｈの鍔部１１ｈｅを基準として、それぞれ対向するように配置されて、前記鍔部１１ｈｅを介してスイッチ操作装置１０ｈを狭持する。弾性部材１２ｈの一方の端部は鍔部１１ｈｅと接し、もう一方の端部はフロントパネル１ｈの内壁面１ｈｉｗと接する。これによって、弾性部材１２ｈは、スイッチ６方向へ向かう力をスイッチ操作装置１０ｈに作用させる。また、ストローク保持用弾性部材１５ｈの一方の端部は鍔部１１ｈｅと接し、もう一方の端部はスイッチ操作装置格納体９のスイッチ６側の内壁面と接する。これによって、ストローク保持用弾性部材１５ｈは、操作ボタン３へ向かう力をスイッチ操作装置１０ｈに作用させる。
【００４１】
このように、弾性部材１２ｈと、ストローク保持用弾性部材１５ｈとでスイッチ操作装置１０ｈを狭持することにより、スイッチ操作装置１０ｈは、弾性部材１２ｈと、ストローク保持用弾性部材１５ｈとの押力が釣り合った状態で、スイッチ操作装置格納体９に支持される。このとき、鍔部１１ｈｅとスイッチ操作装置格納体９との間にはｔｓの間隔が、また、鍔部１１ｈｅとフロントパネル１ｈの内壁面１ｈｉｗとの間にはｔｃの間隔が形成される。これによって、操作ボタン３を押し込む方向に対して平行に動作可能な状態で、スイッチ操作装置格納体９に支持される。すなわち、スイッチ操作装置１０ｈは、スイッチ６の方向に動作することもできるし、フロントパネル１ｈの内壁面１ｈｉｗの方向に動作することもできる。
【００４２】
実施の形態３に係るスイッチ操作装置１０ｈは、フロントパネル１ｈと基板４とを組み付けたときに、スイッチ６の入力部６Ｉと、スイッチ操作装置１０ｈの入力部材１１ｈとが接するようにする。このとき、スイッチ６の入力部６Ｉは、前記入力部材１１ｈをフロントパネル１ｈから突出させるように作用するが、これは、前記入力部材１１ｈとフロントパネル１との間に形成される一定の間隔ｔｃによって吸収される。
【００４３】
このとき、スイッチ操作装置１０ｈの弾性部材１２ｈは、スイッチ６の方向に向かう押圧力Ｐ２を入力部材１１ｈに付勢する。この押圧力Ｐ２は、スイッチ６を動作させるために必要な押圧力Ｐ１よりも小さく設定される。これによって、スイッチ６が動作していない状態で、スイッチ６の入力部６Ｉと、スイッチ操作装置１０ｈの入力部材１１ｈとを接触させることができるので、操作ボタン３を押したときのガタはほとんど発生しない。その結果、スイッチ６に対する入力時の操作感を向上できるとともに、スイッチ６の入力方向に対するスイッチ６の取り付けばらつきを吸収できる。
【００４４】
以上、実施の形態３に係るスイッチ操作装置は、所定の押圧力により動作するスイッチを動作させるように、取り付け対象であるフロントパネルとの間に間隔を設けて取り付けられる入力部材と、前記スイッチと前記入力部材とが接する状態において、前記スイッチを動作させない大きさの押圧力を前記入力部材から前記スイッチに付勢させる弾性部材とを含む。これによって、スイッチは入力部材から押圧力が付勢されて、スイッチと入力部材との遊びが極小になるので、スイッチに対する入力時の操作感を向上できる。また、スイッチの入力方向に対するスイッチの組み付けばらつきを吸収できる。さらに、スイッチを動作させるとき、スイッチ操作装置は直線動作するので、操作感がより向上する。
【図面の簡単な説明】
【００４５】
【図１】実施の形態１に係るスイッチ操作装置を備える電子機器を示す全体図である。
【図２】図１に示すフロントパネルを示す斜視図である。
【図３】図１に示すフロントパネルの内部を示す斜視図である。
【図４】実施の形態１に係るスイッチ操作装置を示す説明図である。
【図５】図２のＡ−Ａ断面を示す断面図である。
【図６】実施の形態１に係るスイッチ操作装置と基板に取り付けられたスイッチとの関係を示す側面図である。
【図７】実施の形態１に係るスイッチ操作装置とスイッチとを組み付けた状態の一例を示す説明図である。
【図８（ａ）】実施の形態１に係るスイッチ操作装置の変形例を示す斜視図である。
【図８（ｂ）】実施の形態１に係るスイッチ操作装置の変形例を示す斜視図である。
【図８（ｃ）】実施の形態１に係るスイッチ操作装置の変形例を示す斜視図である。
【図８（ｄ）】実施の形態１に係るスイッチ操作装置の変形例を示す斜視図である。
【図８（ｅ）】実施の形態１に係るスイッチ操作装置の変形例を示す斜視図である。
【図９】実施の形態１に係るスイッチ操作装置の変形例を示す説明図である。
【図１０】図９に示すスイッチ操作装置を取り付け対象に取り付けた状態を示す平面図である。
【図１１】図９に示すスイッチ操作装置の配置例を示す説明図である。
【図１２】実施の形態２に係るスイッチ操作装置を示す説明図である。
【図１３】図１２に示すスイッチ操作装置を取り付け対象に取り付けた状態を示す平面図である。
【図１４】実施の形態３に係るスイッチ操作装置を取り付け対象に取り付けた状態を示す平面図である。
【符号の説明】
【００４６】
１、１ｆ、１ｈ  フロントパネル
１ｉｗ、１ｆｉｗ、１ｈｉｗ  内壁面
２  取り付け対象側支持部
３  操作ボタン
４  基板
６  スイッチ
１０、１０ａ、１０ｂ、１０ｃ、１０ｄ、１０ｅ、１０ｆ、１０ｇ、１０ｈ  スイッチ操作装置
１１、１１ａ、１１ｃ、１１ｄ、１１ｅ、１１ｆ、１１ｇ、１１ｈ  入力部材
１２、１２ａ、１２ｂ、１２ｃ、１２ｄ、１２ｅ、１２ｆ、１２ｇ、１２ｈ  弾性部材
１２ｔ、１２ｆｔ  突起部
１３、１３ａ、１３ｆ  支持部
１４、１４ａ  腕
１００  電子機器
【図１】
2006164795.tif 000003
【図２】
2006164795.tif 000004
【図３】
2006164795.tif 000005
【図４】
2006164795.tif 000006
【図５】
2006164795.tif 000007
【図６】
2006164795.tif 000008
【図７】
2006164795.tif 000009
【図８（ａ）】
2006164795.tif 000010
【図８（ｂ）】
2006164795.tif 000011
【図８（ｃ）】
2006164795.tif 000012
【図８（ｄ）】
2006164795.tif 000013
【図８（ｅ）】
2006164795.tif 000014
【図９】
2006164795.tif 000015
【図１０】
2006164795.tif 000016
【図１１】
2006164795.tif 000017
【図１２】
2006164795.tif 000018
【図１３】
2006164795.tif 000019
【図１４】
2006164795.tif 000020